Podtech/llm-jp-corpus-v4-ja_patent huggingface dataset:
(57)【要約】      （修正有）【課題】片手で持てない大きさの荷物や複数の荷物をまとめて片手又は、肩に掛けて安全に楽に運搬できる万能運搬ベルトを提供する。【解決手段】円筒形ホース１の両端部に自在フックを設け、自在フックの片方のホース固定部にホース先端を固定し、平行にあるスライド部の穴に円形ホース本体１を通し、保持及び伸縮自在にスライドが可能な円形の輪を形成する万能運搬ベルトであって、運搬物５に合わせ長さの調節ができ、運搬物５を円形ホース本体１上に乗せ、次に円形ホース本体１両端部を持ち上げ運搬物５を覆い囲み、運搬物の上で片方の輪にもう一方の輪を下から通すと把手部６が形成され、片手又は肩掛け運搬が可能となる。【選択図】図５
0003223755.tif 000002
【実用新案登録請求の範囲】
【請求項１】
手で持って荷物を運搬する道具であって、円形管状のホースとその両端部に、ホースを固定及び保持とスライドができる自在フックから成り、ホースを円形の輪形状に平行連結することを特徴とする本考案の万能運搬ベルト。
【請求項２】
自在フックの保持部の位置をスサイドすることにより、円形の輪の長さを自在に変えることを特徴とする請求項１の万能運搬ベルト。
【考案の詳細な説明】
【技術分野】
【０００１】
本考案は、人手運び運搬具に関するものである。
【背景技術】
【０００２】
従来の運搬具には、例えばＬ形板と帯びを組合せ、板上に段ボール箱である荷物を乗せて肩で背負う運搬具が特許文献１で開示されている。また建設用パネル板材を、Ｌ形状を有する金属板の背面側に把手を設けた板材運搬具が特許文献２で開示されている。
【先行技術文献】
【特許文献】
【０００３】
【特許文献１】実用新案登録番号  第３１４７０７７０号
【特許文献２】特開２００５−１０４６０３
【考案の概要】
【考案が解決しようとする課題】
【０００４】
例えば、片手で持てない大きさの段ボール箱に荷物が入った箱を運搬する場合、両手で持つ方法や、箱を２本の帯で締め把手を付けて運ぶ方法があるが、前者の場合は、両手がふさがりドアの開閉の際は一度荷物を床に置いてドアを開閉する手間や、階段では足元が見えないことによるつまづき転倒の危険がある。
【０００５】
また、後者の場合は帯の締め付け、取外しの手間や、樹脂製の帯の場合摩耗により繰り返し使用できない問題がある。
【０００６】
また例えば、片腕長さより広い面積がある板材を運搬する場合は、指の握力で板をつかみ運搬するため体への負担が大きい問題がある。
【０００７】
本考案の目的は、片手で持てない大きさの荷物や、複数の荷物をまとめて片手又は、肩に掛けて安全に効率良く運搬する運搬具を提供することにある。
【課題を解決するための手段】
【０００８】
上記課題を解決するための請求項１に係る発明は、表面が滑りにくい摩擦力が大きい円形管状のホースとその両端部に、ホースを固定及び保持とスライドができる自在フックを設け、円形の輪を形成する。
【０００９】
円形輪の２本の円形ホース上に運搬する運搬物を乗せ、運搬物の外側を覆い囲み、運搬物の上で片方の輪にもう一方の輪を下から通すと把手部が形成される。
【００１０】
把手部を手で持ち上げると、円形ホースと運搬物の間で更に摩擦力が増すと共に円形ホースは運搬物に添って変形することで、運搬物が固定される。
【００１１】
更に円形ホースの自在フック部も、運搬物の重さで変形し摩擦力が増し、ホース間で強固に結合される。
【００１２】
請求項２記載の本考案は、荷物の大きさに合わせて、円形ホースの自在フックの位置を、自在にスライドし、周長を変えて、持ち易い位置に把手部を移動することを可能とする。
【考案の効果】
【００１３】
本考案に係る万能運搬ベルトによれば、片手で持てない程の大きさの荷物が入った段ボール箱や、２段重ねの段ボール箱又は、片腕長さより広い板材又は、棒形状の束等あらゆる物の運搬が、片手持ち或は、肩にホースである把手部を掛けて持ち運ぶことができる。
【００１４】
したがって、荷物を持った姿勢で、ドアの開閉や階段の昇り降りがスムーズに行え、安全で体の負担をやわらげることとなる。
【図面の簡単な説明】
【００１５】
【図１】本考案の万能運搬ベルトの一実施例を示す全体図である。
【図２】本運搬ベルトの自在フック部詳細図である。
【図３】本考案の万能運搬ベルトの一実施例を示す工程図である。
【図４】本考案の万能運搬ベルトの一実施例を示す工程図である。
【図５】本考案の万能運搬ベルトの一実施例を示す工程図である。
【図６】本考案の万能運搬ベルトの一実施例を示す工程図である。
【考案を実施するための形態】
【００１６】
表面が滑りにくい摩擦力が大きい１本の円形ホースの両端部に自在フックを設け、自在フックの片方にホース先端を固定し、平行にあるもう一方の穴にホースをスライド可能に通し、円形ホース全体が２本の平行した円形ホースで連結した円形の輪を形成する。
【００１７】
更に荷物の大きさに合わせる目的で、円形ホースの自在フックの位置を、自在にスライドすることにより、周長を変えて、持ち易い位置に把手部を移動することを可能とする。
【実施例】
【００１８】
以下、添付図に従って実施例を説明する。１は表面が滑りにくい摩擦力が大きい円形ホース本体、２は自在フック、３は円形ホースの端部を固定する２自在フックの一部、４は円形ホース本体を通し保持及び伸縮自在にスライドが可能であり、円形の輪の周長を荷物の大きさに合わせて変える、自在フック２の一部である。
【００１９】
円形ホース本体１を中央より２つに折り曲げ運搬物５の外周に当て長さを比較、持ち易い位置に把手部がくるように、円形ホース本体１周長を自在フック２で調節する。
【００２０】
円形ホース本体１を床に２本平行に広げその上に運搬物５を乗せ、円形ホース本体１の間隔を調整、次に円形ホース本体１両端部を持ち上げ運搬物５を覆い囲み、運搬物の上で片方の輪にもう一方の輪を下から通すと把手部６が形成される。
【００２１】
把手部６を手で持ち上げると、円形ホース本体1と運搬物５の間で更に摩擦力が増すと共に円形ホース本体１は運搬物５に添って変形することで、運搬物５が固定される。
更に円形ホース本体１の自在フック２部も、運搬物５の重さで変形し摩擦力が増し、連結される。
【産業上の利用可能性】
【００２２】
本考案の万能運搬ベルトによれば、荷物を楽に安全に運ぶことができるため、幅広い利用が期待できる。
【符号の説明】
【００２３】
１  円形ホース本体
２  自在フック
３  自在フックホース固定部
４  自在フックホーススライド部
５  運搬物
６  把手部
【図１】
0003223755.tif 000003
【図２】
0003223755.tif 000004
【図３】
0003223755.tif 000005
【図４】
0003223755.tif 000006
【図５】
0003223755.tif 000007
【図６】
0003223755.tif 000008
(57)【要約】      （修正有）【課題】少ないスペースで作業が可能であり、周辺材の解体などが不要なくさび式手動ジャッキを提供する。【解決手段】くさび式手動ジャッキは、スライド方向に引張材を貫通させる穴ｂを中央に有するくさびａと、引張材用の座面を有し、くさび端部に接する形状が曲面で回転可能に篏合する金物ｃと、が１組となり、相反する方向の２組間に貫通する引張材（ボルトｅ１）を組み合わせて構成される。貫通させた引張材を上方に引き上げることで、少スペースで基礎を有する建物や工作物の接する部材間に隙間をあけることができる。【選択図】図１
0003223750.tif 000002
【実用新案登録請求の範囲】
【請求項１】
スライド方向に引張材を貫通させる穴を中央に有するくさびと、引張材用の座面を有する金具でくさび端部に接する形状が曲面で回転可能に篏合させたことを特徴とした金物が１組となり、相反する方向の２組間に貫通する引張構成材を組み合わせたくさび式手動ジャッキ
【考案の詳細な説明】
【技術分野】
【０００１】  本考案は、例えば、図２のような基礎を有する建物や工作物において、接する部材間の隙間をあける場合に利用できる工具に関するものである。
【背景技術】
【０００２】  従来から、例えば、傾いた建物を土台を基礎から上げて修繕する場合、軽量の場合１組のくさびで、打撃により調整するか、あるいは、重量の場合は、手動ジャッキや油圧式ジャッキを用いるが、ジャッキ操作をする場合に、作業スペースが必要なことから、周辺の材料を解体する必要があった。
【考案の概要】
【０００３】  図２は例として、基礎から土台を持ち上げる場合を想定しているが、くさび１組にくさび中央部に引張構成材を貫通させて組み合わせて、打撃を必要としないジャッキ式にしたものである。
【考案の効果】
【０００４】  上述のように、本考案のくさび式ジャッキは、少ないスペースで作業が可能となり、周辺材の解体などが不要なために、作業時間や、作業スペース確保のために生じる解体ごみなどの節減に貢献できるものである。
【図面の簡単な説明】
【０００５】
【図１】は本考案でのくさびと、接するくさび端部で回転するボルトなどの回転用座となる金物とボルトなどの引張材を組み合わせた例の図である。ａは、くさび本体、ｂはボルトなどを貫通させるための穴、ｃはｅ１のボルトなどを貫通させるｄと座面と、さらにくさび端部に曲面篏合させる金物を示す。
【図２】は、本考案の組み立てで必要な連結構成材の施工例の図であり、ｆは基礎、ｇは土台の例。
【図３】は、その他の利用例の図
【図１】
0003223750.tif 000003
【図２】
0003223750.tif 000004
【図３】
0003223750.tif 000005
(57)【要約】      （修正有） 【課題】パットを簡単に交換することができ、またパットが密着することにより効果的に脇汗や脇臭を防止することができる脇当てパット内臓肌着を提供する。【解決手段】肌着３０にメッシュの生地１０と布生地２０を縫い付け袋状にし、肌着と布生地に切れ込み２１、３１をつけて着たままパット４０を交換することができるようにした。パットを挿入後に布生地の切れ込み口の片方を持ち上げ粘着テープで止める事で、パットと肌の隙間を無くし密着させて脇汗や脇臭を防ぐことができる。また布生地と肌着が２重構造になるので見た目もデザイン性も損なわれない。【選択図】図１
0003223747.tif 000002
【実用新案登録請求の範囲】
【請求項１】
メッシュ生地、布生地、肌着の３重構造からなり、前記布生地と前記肌着には縦長の切れ込み口が付いており、吸水性のある脇当てパットを前記肌着の切れ込み口と前記布生地の切れ込み口から挿入し、前記脇当てパットを前記メッシュ生地と前記布生地の間に挟みこみ、前記布生地の切れ込み口を粘着テープで閉じることが可能であることを特徴とする脇当てパット内蔵肌着。
【考案の詳細な説明】
【技術分野】
【０００１】
本考案は、脇臭や汗にる不快感をなくす事を目的とした脇当てパットを内蔵出来る肌着に関する。
【背景技術】
【０００２】
従来の脇当てパットは、肌着自体に縫い付けてあるか、またはパット自体に粘着テープが付いており肌着や肌に貼り付けて使うものが多かったが、肌着自体に縫い付けてあるタイプでは、パットの交換が出来ないため衛生面で問題があり、またパット自体を貼り付けて使うタイプでは肌着とパットの一体感が無く、またパトの外観が目立ってしまい見た目が悪いという問題があった。以上の問題に対処するために、特許文献１に示すようなパットを入れるためのポケットを設けたタイプの肌着もあった。しかし、肌着に設けたポケットにパットを入れるタイプでは、入れたパットが外れてしまう恐れがあり、またポケットの中で動いてしまい肌とパットが密着できない等の問題があった。
【先行技術文献】
【特許文献】
【０００３】
【特許文献１】実全昭５４−１２５７３４
【考案の概要】
【考案が解決しようとする課題】
【０００４】
本考案は、上記課題に鑑みてなされたものであり、パットを簡単に交換することができ、またパットが密着することにより効果的に脇汗や脇臭を防止することを目的としたものである。
【課題を解決するための手段】
【０００５】
本考案は上記課題を解決するため、肌着にメッシュ生地と布生地を縫い付け袋状にし、肌着に切れ込みがついて有り着たままパットを交換することができるようになっている。また布生地にも切れ込みが付いて有りパットを挿入後に布生地の片方を持ち上げ粘着テープで止める事で、パットと肌の隙間が無くなり密着することで脇汗や脇臭を防ぐことができる。また布生地と肌着が２重構造になるので見た目もデザイン性も損なわれない。
【考案の効果】
【０００６】
本考案は、肌着を着たままでパットの交換が容易に出来る。布生地を持ち上げて密着する事で臭いの解消に繋がる。また、パット自体に脱臭剤や香料などを含ませることでより効果的になる、等の効果が期待できる。
【図面の簡単な説明】
【０００７】
【図１】本考案の肌着にメッシュ生地と布生地を縫製加工した概略図
【図２】本考案の脇当てパットを装着し布生地を粘着テープで閉じた状態の概略図
【図３】本考案の脇当てパットを装着した状態の断面図
【考案を実施するための形態】
【０００８】
以下、添付図面を参照して本考案の脇当てパット内蔵肌着の実施形態について説明する。
【０００９】
図１は本考案の肌着にメッシュ生地と布生地を縫製加工した概略図である。メッシュ生地１０、布生地２０、肌着３０と３重構造になっており、肌に近い方からメッシュ生地、布生地、肌着の構成となっている。また、布生地２０には縦長の切れ込み口２１、肌着３０には縦長の切れ込口３１がそれぞれ切られており、脇当てパット４０を切れ込み口３１と切れ込み口２１を通して挿入し、メッシュ生地１０と布生地２０の間に挟み込むようになっている。
【００１０】
図２は本考案の脇当てパット４０を装着し布生地を粘着テープで閉じた状態の概略図である。脇当てパット４０を挿入した後、布生地２０の切れ込み口の片方を持ち上げて粘着テープ５０で密着する。
【００１１】
図３は本考案の脇当てパット４０を装着した状態を横から見た断面図である。脇当てパット４０はメッシュ生地１０と布生地２０の間に挟まれている。
【産業上の利用可能性】
【００１２】
本考案は脇汗や脇臭の不快な悩みの解決に利用可能である。
【符号の説明】
【００１３】
１０ メッシュ生地
２０ 布生地
２１ 布生地の切れ込み口 
３０ 肌着
３１ 肌着の切れ込み口
４０ 脇当てパット
５０ 粘着テープ
【図１】
0003223747.tif 000003
【図２】
0003223747.tif 000004
【図３】
0003223747.tif 000005
(57)【要約】      （修正有）【課題】男子の小便で便器の先端に零した残尿を拭き取り不要な便座を提供する。【解決手段】洋式便座の外側カバーと内側カバーを有し、便器の先端に一部の切込みを入れて外側カバーを便器と面合わせにした。【選択図】図７
0003223729.tif 000002
【実用新案登録請求の範囲】
【請求項１】
「洋式便座の外側カバーと内側カバーを有し、便器の先端に一部切り込みを入れて外側カバーを便器と同じ面にした、形状を特徴とする便座」
１．  便座（２）は便座の外側カバー（２ａ）と便座の内側カバー（２ｂ）を一体化したものである
２．  外側カバー（２ａ）は便器に沿って［図５］［図６］［図７］３ｃ湾曲に設定。
３．  内側カバー（２ｂ）は便器内側に沿って湾曲に［図７］［図８］［図１０］に設定。
４．  外側カバー（２ａ）は便座の脚［図１］［図２］［図３］［図４］［図７］［図８］［図９］（２ｃ）の高さに隙間があり便器に残尿が残ったものを衣類が拭き取るのを防止する。
５．  内側カバー（２ｂ）はノズルのシャワー［図４］（８）の噴射で汚水が便器の先端［図１］［図２］［図４］（３ａ）に飛び込むのを防止する。
６．  外側カバー（２ａ）と便器（３）を［図８］（９）平面にすることで、人が立ち上がる時に下着のゴム紐（７ａ）に外側カバー（２ａ）が引っ掛けない為。
７．  外側カバー（２ａ）及び内側カバー（２ｂ）は板状のもので厚さは薄い形状のもので、衣服に接触を防止するのを特徴とする便座。
【考案の詳細な説明】
【技術分野】
【０００１】本発明は、男子の小便で便器の先端に零した残尿がのこる、便座と便器の隙間に下着のゴム紐などが入り込み、残尿を拭き取るのを防止する。
【背景技術】
【０００２】従来の便器、便座は便座脚が４〜５個ついており、便器の隙間が数ミリの隙間が出来、便器の上に残尿が残るので下着ゴム紐で拭き取るのは衛生的に悪い。
【先行技術文献】
【特許文献】
【０００３】
【特許文献１】登録実用新案第３１３９４２５号公報
【特許文献２】登録実用新案第３１３１５６６号公報
【特許文献３】登録実用新案第３１４３７４３号公報
【０００４】
【非特許文献】
【非特許文献】不明
【考案の概要】
【考案が解決しようとする課題】
【０００５】本来は、排便、排尿を済ませた段階で毎回掃除すれば解決できるが、公共施設では出来ないので、本考案を提供するものである。
【課題を解決するための手段】
【０００６】現在の洋式便座には、外側カバーや、内側カバーが無いので、目に見えない不衛生に見舞われている。誰でも分かっていても現状は対応されてないので本考案を提供する。
【考案の効果】
【０００７】便座の外側カバーは下着のゴムの侵入を防止する為に、便器の先端に切り込みを入れて、便座の面と便器の面の高さを同じにする事で立ち上がり時パンツのゴム紐が引っかかるのを防止し、内側カバーはノズルの噴射から便器の先端への飛び込みを防止する。
【図面の簡単な説明】
【０００８】
【図１】従来の水洗便器の小便の残尿箇所（３ｂ）を示した左斜視図である。
【図２】従来の水洗便器の便座と便器の下着の入る個所（４）の左側面図である。
【図３】従来の水洗便器に人が腰かけパンツ・ズボンを下ろした時パンツが隙間に入る（７ａ）の左側面図である。
【図４】従来の水洗便器にて大便後ノズルで噴射洗浄した方向（８）である。
【図５】本考案の水洗便器先端に切り込みを入れた（３ｃ）左斜視図である。
【図６】本考案の便器の切込み箇所で（３ｃ）左側面図を表示したものである。
【図７】本考案の便器の切込み部に便座の外側カバー・内側カバーを填め込む位置（２ａ）（２ｂ）（３ｃ）を示した左側面図である。
【図８】本考案の便座の外側カバー・内側カバーを便器に入れた外側カバーが便器の面に沿って（２ａ）（２ｂ）（９）平面になった左側面図である。
【図９】本考案の便座に外側カバー（２ａ）を便器（３）に差し込んだ正面図である。左右隙間が空いても外側カバー（２ａ）で下着のゴム紐は中に入れない正面図である。
【図１０】本考案の便座の先端に外側カバーと内側カバーが便器の先端を挟み込む形状の右斜視図である。
【考案を実施するための形態】
【０００９】本考案は、外側カバー（立小便の残尿を衣服やゴム紐が入らないよう防止するのが目的である。又、用を済ませて立ち上がる時に便座と便器突起を防ぐために便座と便器の合わせ面を平面にする事で下着を持ち上げた時に引っかかりを防止する）内側カバー（洗浄用ノズルが強力噴射により人により洗浄場所が異なるのでお尻を移動させるときに便器の先端まで届くのを防止するのが目的である）
【実施例】
【００１０】便座の上に小便の残尿に見立て、色のついた液体・インキを零して実験の結果下着に必ず色が付く。
【産業上の利用可能性】
【００１１】本考案は、家庭の水洗便所はもとより公共施設はどれほど不潔か、尿にはアンモニア他病原菌の汚れた下着の細菌がどんな経路（衣服・パジャマ・ベッド・手にも付くので食品・他人、考えたら切がない）誰も考えていない。解っていても実行しないと意味がない。
【符号の説明】
【００１２】１．  洋式便器の蓋
２．  便座
２ａ．便座の外側カバー
２ｂ．便座の内側カバー
２ｃ．便座の脚
３．  便器
３ａ．便器の先端
３ｂ．男子の立小便の漏れた汚れ
３ｃ．便器の切込み部
４．  便座と便器の隙間
５．  洗浄ノズル
６．  人間
６ａ．人間のお尻
７．  下着
７ａ．下着のゴム紐
８．  ノズルのシャワー
９．  便座と便器が平面
【図１】
0003223729.tif 000003
【図２】
0003223729.tif 000004
【図３】
0003223729.tif 000005
【図４】
0003223729.tif 000006
【図５】
0003223729.tif 000007
【図６】
0003223729.tif 000008
【図７】
0003223729.tif 000009
【図８】
0003223729.tif 000010
【図９】
0003223729.tif 000011
【図１０】
0003223729.tif 000012
【手続補正書】
【提出日】令和1年8月14日(2019.8.14)
【手続補正１】
【補正対象書類名】実用新案登録請求の範囲
【補正対象項目名】請求項１
【補正方法】変更
【補正の内容】
【請求項１】
洋式便座の外側カバーと内側カバーを有し、便器の先端に一部の切込みを入れて外側カバーを便器と面合わせにした、形状を特徴とする便座。
(57)【要約】      （修正有）【課題】家族等が毎日使用するドライヤーを安全かつ使い易い状態で保持できるドライヤー保持具を提供する。【解決手段】ドライヤーを使用する部屋の壁に取り付けられる円柱の棒ａ付きＬ型のプラスチック板ｃと、四角のゴム板ｂとを備える。円柱の棒は、Ｌ型のプラスチック板の長辺側の内面に固定してドライヤーを掛け、四角のゴム板は、Ｌ型のプラスチック板の短辺側の内面に固定して、円柱の棒に掛けられたドライヤーの背を支える。【選択図】図１
0003223730.tif 000002
【実用新案登録請求の範囲】
【請求項１】
ドライヤーを使用する部屋の壁に円柱の棒付きＬ型のプラスチック板を作成し取り付け、ドライヤーを掛けた時、後部に四角のゴム板が当たる様に取り付け、使い易さと安全性を重視したドライヤー保持具
【請求項２】
ドレッサーのある部屋では壁に円柱の棒を取り付け、ドライヤーを掛けた時に安定する様にドレッサーの側面に四角のゴム板を取り付けて使い易さと安全性を重視したドライヤー保持具
【考案の詳細な説明】
【技術分野】
【０００１】  本考案は円柱の棒と四角のゴム板を活用したドライヤー保持に関するものである。
【背景技術】
【０００２】  ホテル・旅館や各家庭において風呂上がりや、出勤・通学前に毎日ドライヤーを使う際は、フックに吊り下げてあるか、不安定な場所に置かれていたりして不便であった。
【考案の概要】
【考案が解決しようとする課題】
【０００３】  ドライヤーは家族が風呂上がりや、出勤（外出）前に毎日使用する生活必需品であるが吊り下げ式保持が多く、フックに掛けたり外したりする事が面倒だったり、コードの付け根が損傷するおそれがある。しかし掛け置き式のドライヤーキャッチャーを設置すればコードの付け根の折損防止や、取り置きする時の落とす可能性も低下し、安全性の向上と何よりも使い勝手の良さで、前述の欠点を解決しようとするものである。
【課題を解決するための手段】
【０００４】  本考案はドライヤーを掛け置き式で保持するために、円柱の棒をビスで固定して、反対側には四角のゴム板を両面テープで貼り付けて固定する。ドライヤーを棒に掛けた時に反対側のゴム板と重さを分け合う事で、安定を保ち、取り・掛けの利便性も向上し、問題点を解決している。
【考案の効果】
【０００５】  上述のようにドライヤーを掛け置き式で保持する器具を設置する事により、コード付け根の折損防止と安全性が向上し、利便性については私が約４年前に試作品を設置し、家族で実証済みであり、この度実用新案の登録を願うに至った。
【図面の簡単な説明】
【０００６】
【図１】本考案のドライヤーキャッチャーの一実施例を示す図面であり「請求項１」に示すものである。
【図２】本考案のドライヤーキャッチャーの一実施例を示す図面であり「請求項２」に示すものである。（図面補佐として実用写真を添付）
【考案を実施するための形態】
【０００７】  ドライヤーキャッチャー本体のＬ型板はビス３本又は強力両面テープで固定する。また洗面化粧台の横に取り付ける場合は側面同士を両面テープで固定する。ドライヤーの背を支える四角のゴム板も両面テープで固定する。ドライヤーを掛ける円柱の棒は強度のある素材（強化プラスチック）を使用する。
【実施例】
【０００８】  以下、添付図面に従って一実施例を説明する。図１に示すａとｃは強化プラスチック等の素材にて形成されたドライヤーキャッチャー本体、ｂは四角のゴム性の板で、ドライヤー本体の受け板として保持とズレを防止する役割を担っている。ａの役割としては、ドライヤーの重量を受け止めると共に取りやすく、掛けやすく、更に落下させない形状と材質にする事で安全性を高める。【０００９】  図２に示すパターンは「請求項２」で述べたドレッサー等の側面にドライヤーキャッチャーを設置する場合で、ａの位置をドライヤーに合わせて規制し取り付け、ｂはドレッサーの側面に取り付ける事により安定性の向上と安全を図る。【００１０】  本考案の一実施例を具現化するために写真を添付させて頂きます。以前と現在のドライヤーの保持状態の違いは利便性とコード付け根の折損防止を考えての事です。
【符号の説明】
【００１１】ａ  ドライヤー受け棒
ｂ  Ｌ型強化プラスチック板
ｃ  ドライヤー受けゴム板
【図１】
0003223730.tif 000003
【図２】
0003223730.tif 000004
【手続補正書】
【提出日】令和1年8月27日(2019.8.27)
【手続補正２】
【補正対象書類名】実用新案登録請求の範囲
【補正対象項目名】全文
【補正方法】変更
【補正の内容】
【実用新案登録請求の範囲】
【請求項１】
ドライヤーを使用する部屋の壁に取り付けられる円柱の棒付きＬ型のプラスチック板と、四角のゴム板とを備え、
前記円柱の棒は、前記Ｌ型のプラスチック板の長辺側の内面に固定してドライヤーを掛けるようになしてあり、また、前記四角のゴム板は、前記Ｌ型のプラスチック板の短辺側の内面に固定して、前記円柱の棒に掛けられたドライヤーの背を支えるようになしてある
ことを特徴とするドライヤー保持具。
【請求項２】
ドレッサーのある部屋であって当該ドレッサー近傍の壁に取り付けられる円柱の棒と、前記ドレッサーの側面であって前記円柱の棒の近傍に取り付けられる四角のゴム板とを備え、
前記円柱の棒に掛けられたドライヤーの背が前記四角のゴム板によって支えられるようになしてある
ことを特徴とするドライヤー保持具。
【手続補正４】
【補正対象書類名】明細書
【補正対象項目名】０００１
【補正方法】変更
【補正の内容】
【０００１】
本考案は円柱の棒と四角のゴム板を活用したドライヤー保持具に関するものである。
【手続補正５】
【補正対象書類名】明細書
【補正対象項目名】０００５
【補正方法】変更
【補正の内容】
【０００５】
上述のようにドライヤーを掛け置き式で保持する器具を設置する事により、コード付け根の折損防止と安全性が向上し、利便性については私が約４年前に試作品を設置し、家族で実証済みであり、この度、実用新案の登録を願うに至った。
(57)【要約】      （修正有）【課題】結婚式招待状を持ち歩くことなく、挙式の情報及び事前に新郎新婦のプロフィールを閲覧でき、また、挙式後は結婚報告として閲覧できる結婚式招待状を提供する。【解決手段】案内文３と、案内文に隣接して、結婚式場の住所や地図７、スケジュール６、新郎新婦のプロフィール５や写真４、来場者へのメッセージを表示するためのウエブサイトにアクセスできるＱＲコード（登録商標）が記載されたことを特徴とする。【選択図】図２
0003220740.tif 000002
【実用新案登録請求の範囲】
【請求項１】
結婚式招待状に記載されているＱＲコードを読み取ることにより、結婚式場の住所や地図、スケジュール並びに結婚式場のウエブサイトのＵＲＬ、加えて新郎新婦のプロフィールや写真、来場者へのメッセージを表示させるものである。
【考案の詳細な説明】
【技術分野】
【０００１】本考案は、結婚式招待状に記載されているＱＲコードを読み取ることにより、結婚式場の住所や地図、スケジュール並びに結婚式場のウエブサイトＵＲＬ、加えて新郎新婦のプロフィールや写真、出席者へのメッセージを表示させるものである。
また、結婚式後は結婚報告として御礼のメッセージ、挙式の写真を表示させるものである。
新郎新婦は、指定ＵＲＬにログインして写真の入替えや終了後のメッセージを自由に変えられるものである。
【背景技術】
【０００２】結婚式招待状に記載されている情報を元に、出席者は自ら結婚式場の場所を調べて探す必要があった。
【考案の概要】
【考案が解決しようとする課題】
【０００３】招待状を紛失、忘れた場合は新郎新婦や友人、親戚に確認するほかなかった。また、事前に結婚されるお相手のプロフィールを入手することが出来なかった。
【課題を解決するための手段】
【０００４】本考案は、結婚式招待状に記載されている結婚式場の住所や地図、スケジュール並びに結婚式場のウエブサイトのＵＲＬ、加えて新郎新婦のプロフィールや写真、出席者へのメッセージを盛り込んだウエブサイトを作成、そのＱＲコードを招待状へ記載し、出席者の手を煩わさずに結婚式場に誘導できる。
また、結婚式後に御礼のメッセージ、挙式の写真に差替えて結婚報告として使用できるものとした。
【考案の効果】
【０００５】出席者は招待状に記載してあるＱＲコードを読み取り、ウエブサイトへアクセスすることで、招待状の情報を知ることができ、スマートフォンには履歴が残るため、招待状を忘れた場合でも式場に行くことができ、事前に新郎新婦のプロフィールなども知ることができる。
また結婚式後には結婚報告として御礼の挨拶、挙式の写真を見て頂ける。
【図面の簡単な説明】
【０００６】
【図１】結婚式招待状の記載の一例を示す図
【図２】招待状発送から挙式当日までのウエブサイトの一例を示す図
【図３】挙式翌日から契約期間満了までのウエブサイトの一例を示す図
【考案を実施するための形態】
【０００７】以下本考案の一実施例の形態を示す図面に基づき説明する。
【０００８】図１に示す如く、挙式ウエブサイトのＵＲＬにアクセスできるＱＲコードを印刷した招待状。
【０００９】図２に示す如く、ご挨拶、挙式スケジュール、新郎新婦のプロフィール、式場の住所、アクセス方法を掲載。
新郎新婦は、指定ＵＲＬにログインして写真、メッセージを掲載することができる。
【００１０】図３に示す如く、挙式後の御礼、挙式時の写真を掲載。
新郎新婦は、指定ＵＲＬにログインして挙式の写真・メッセージを変えることができる。
【符号の説明】
【００１１】１    ＱＲコード
２    挙式トップ画像
３    招待・挙式後のご挨拶
４    新郎新婦の写真
５    新郎新婦のプロフィール
６    挙式当日のスケジュール
７    式場情報、アクセス方法
【図１】
0003220740.tif 000003
【図２】
0003220740.tif 000004
【図３】
0003220740.tif 000005
【手続補正書】
【提出日】平成31年1月15日(2019.1.15)
【手続補正１】
【補正対象書類名】実用新案登録請求の範囲
【補正対象項目名】全文
【補正方法】変更
【補正の内容】
【実用新案登録請求の範囲】
【請求項１】
案内文と、前記案内文に隣接して、結婚式場の住所や地図、スケジュール、新郎新婦のプロフィールや写真、来場者へのメッセージを表示するためのウエブサイトにアクセスできるＱＲコードが記載されたことを特徴とする、結婚式招待状。
(57)【要約】      （修正有）【課題】伸長自在なＦＲＰ材やアルミ合金鋼材もしくはステンレス鋼材からなる簡易な構造体で、平常時は可動式堤防ユニットの内部に格納されているが津波や高潮などの水害発生時に横方向に伸長させて津波や高潮などを堰き止める機能を有した可動式堤防を提供する。【解決手段】可動式堤防ユニット１Ａと伸長自在なＦＲＰ材やアルミ合金鋼材もしくはステンレス鋼材からなる平板を連結して折りたたんだ状態の簡易な構造体２は、津波や高潮が到達する前に堤防ユニット１Ａに格納されている簡易な構造体２を横方向に伸長する可動式堤防とともに、堤防ユニット１Ａの底部アンカー５を所定深さの地中に埋め込むことにより強固に（倒れないように）した構造となっている。【選択図】図１
0003220751.tif 000002
【実用新案登録請求の範囲】
【請求項１】
津波や高潮などの水害発生時に、堤防ユニットと内部に格納されている伸長自在なＦＲＰ材や鋼材（アルミ合金もしくはステンレス）からなる簡易な構造体を横方向に伸長させて津波や高潮などを堰き止めることで水没する危険を回避できる特徴をもつ可動式堤防。
【考案の詳細な説明】
【技術分野】
【０００１】  本考案は、津波や高潮などの水害発生時において、海岸から河川への遡上津波や高潮などを堰き止める機能を有した可動式堤防に関するものである。
【背景技術】
【０００２】  津波や高潮などの水害発生時において、海岸付近や川岸付近の低地では、ごく短時間で水没することにより、多くの人命を失う危険があるとともに各種施設（建造物等）が崩壊する等の大惨事が発生する。
【先行技術文献】
【０００３】
【特許文献１】特開２０１６−８４４８号  公報
【考案の概要】
【考案が解決しようとする課題】
【０００４】  本考案は、伸長自在なＦＲＰ材や鋼材（アルミ合金もしくはステンレス）からなる簡易な構造体で、平常時は可動式堤防ユニットの内部に格納されているが津波や高潮などの水害発生時に横方に伸長させて津波や高潮などを堰き止める機能を有している可動式堤防を提供することを目的としている。
【課題を解決するための手段】
【０００５】  本考案は、上記課題を解決するための手段として次の構成を有している。
本考案は、津波や高潮などの水害発生時に適用される可動式堤防を対象としている。尚、本考案の名称は可動式堤防であるが、以下の説明では可動式堤防を単に堤防と表現することがある。【０００６】  本考案に係る可動式堤防は、堤防ユニットと内部に格納されている伸長自在なＦＲＰ材や鋼材（アルミ合金もしくはステンレス）からなる簡易な構造体を横方向に伸長させて津波や高潮などを堰き止めることを特徴としている。【０００７】  上記の可動式堤防は、堤防ユニットを河口護岸の左右に配置するとともに、各堤防ユニット底部のアンカーを所定深さの地中に埋め込んでおくことにより、強固に（倒れないように）できる。
【考案の効果】
【０００８】  本考案の可動式堤防では、津波や高潮などの水害発生時に、堤防ユニットの内部に格納されている伸長自在なＦＲＰ材や鋼材（アルミ合金もしくはステンレス）からなる簡易な構造体を横方向に伸長させて津波や高波などを堰き止めることで水没する危険を回避できるという効果がある。【０００９】  又、本考案の可動式堤防では、既存の防潮水門の建設工事よりも短期間で、設置工事ができるとともに、工事費用も比較的に安価にすることできるという効果がある。【００１０】  さらに、本考案の可動式堤防では、津波や高潮などの水害発生時以外には、河口が開放状態にできるために船舶等が自由に航行することできるという効果がある。
【図面の簡単な説明】
【００１１】
【図１】  本考案の可動式堤防ユニットＡの正面図と平面図
【図２】  可動式堤防ユニットＢの正面図と平面図
【図３】  水害発生時の可動式堤防の展開図
【考案を実施するための形態】
【００１２】  図１〜図３を参照して本考案の実施例を説明すると、この実施例の可動式堤防は、堤防ユニットと内部に格納されている伸長自在なＦＲＰ材や鋼材（アルミ合金もしくはステンレス）からなる簡易な構造体を横方向に伸長させて津波や高潮などを堰き止めることができる機能を発揮するものである。
【実施例】
【００１３】  図１〜図３にある可動式堤防ユニット１は、河口護岸の両側に設置するものである。そして、堤防ユニット１と内部に格納されている伸長自在なＦＲＰ材や鋼材（アルミ合金もしくはステンレス）からなる簡易な構造体２とを基本構成としている。【００１４】  図１〜図３にある可動式堤防ユニット１と伸長自在な簡易な構造体２は、津波や高潮などが河口に到達する前に堤防ユニットＡの内部に格納されている伸長自在な簡易な構造体２に取付けられた防水ワイヤーロープ３を堤防ユニットＢのモーター（電動式もしくは原動機式）４を稼動して防水ワイヤーロープ３を巻き取ることで簡易な構造体２を堤防ユニットＢに格納する構造となっている。また、防水ワイヤーロープ３は、河口の水底に這わす方法とドローンを飛ばして搬送する方法などの両方に対応する構造となっている。【００１５】  図１〜図３にある可動式堤防ユニット１の底部アンカー５を所定深さの地中に埋め込むことにより、強固（倒れないように）した構造となっている。
【符号の説明】
【００１６】  １は可動式堤防ユニットＡ・Ｂ、２は伸長自在な簡易な構造体、３は防水ワイヤーロープ、４はモーター、５は底部アンカーである。
【図１】
0003220751.tif 000003
【図２】
0003220751.tif 000004
【図３】
0003220751.tif 000005
【手続補正書】
【提出日】平成31年1月15日(2019.1.15)
【手続補正１】
【補正対象書類名】実用新案登録請求の範囲
【補正対象項目名】全文
【補正方法】変更
【補正の内容】
【実用新案登録請求の範囲】
【請求項１】
津波や高潮などの水害発生時に、堤防ユニットと内部に格納されている伸長自在なＦＲＰ材やアルミ合金鋼材もしくはステンレス鋼材からなる平板を連結して折りたたんだ状態の簡易な構造体を横方向に伸長させて津波や高潮などを堰き止めることで水没する危険を回避できる特徴をもつ可動式堤防。
(57)【要約】      （修正有）【課題】紙切部分を改良し、使いやすくしたペーパーホルダーを提供する。【解決手段】紙切り板の裏の両サイドにＬ字型の突起物１Ａ、１Ｂを設け、紙を浮かせ、紙切板の切り口３Ａを波型にした。【選択図】図１
0003220754.tif 000002
【実用新案登録請求の範囲】
【請求項１】
トイレのペーパーホルダーのペーパー使用時に、ペーパーを切った後真っ直ぐに切れる。それを改善する為に切り口を波型にし、更に紙切板の裏の両サイドにＬ字型の突起物を設け、紙の間に空間を作る事により、取りやすくしたのが最大の特徴とする改良式ペーパーホルダー。
【考案の詳細な説明】
【技術分野】
【０００１】本考案は、ペーパーホルダーの紙切板の切り口を波型に改良したペーパーホルダーに関するものである。
【背景技術】
【０００２】トイレットペーパーをペーパーホルダーにはめ込み、使用する時に見つけやすくするのが目的である。
【考案の概要】
【考案が解決しようとする課題】
【０００３】従来のペーパーホルダーでは、紙の切り口が見つけにくいものであった。
【課題を解決するための手段】
【０００４】今までは切り口を見つけるのに時間がかかっていたが、紙切板の切り口を波型にし、更に紙を浮かせるためＬ字型の突起物を紙切板に設ける事によりとりやすくした。
【考案の効果】  今までは切り口を見つけるのに時間がかかっていたが、より一層早く見つける事が出来るようにした。
【図面の簡単な説明】
【図１】本考案のペーパーホルダーの一実施例を示す図で有って、（１）は本考案のペーパーホルダーの斜視図である。
【図２】本考案のペーパーホルダーの紙切板の切り口部分である。
【図３】本考案のペーパーホルダーの拡大図である。
【図４】本考案のペーパーホルダーの断面図である。
【図５】本考案のペーパーホルダーにペーパーを取り付けた図である。
【考案を実施するための形態】
【０００７】ホルダーの紙切板の切り口を波型にし、Ｌ字型の突起物を設けた事により早く紙の切り口を見つけられるようにする。
【実施例】
【０００８】  以下、添付図面に従って実施例を説明する。ホルダーの紙切板３Ａの切り口部分から３分の１の所に取り付ける。１ａの長さは３５ｍｍ、１ｂは０．５ｍｍ、１ｃは３０ｍｍとする。１Ｂは１Ａと同じ寸法とする。（但し、１Ａ・１Ｂの寸法はこの限りではない。）【０００９】本考案の一実施例は上記の構成からなるもので、トイレットペーパーの切断部分を改良したものであるから、より便利に使用できる。
【符号の説明】
【００１０】１００）  トイレのペーハーホルダー
１）１Ａ  右側Ｌ字型の突起物
２）１Ｂ  左側Ｌ字型の突起物
３）２Ａ  ホルダー本体右側
４）２Ｂ  ホルダー本体左側
５）３Ａ  紙切板の切り口
６）４Ａ  Ｌ字型の突起物取付け長さ
７）４Ｂ  Ｌ字型の突起物取付け長さ
８）５    ペーパーロール
【図１】
0003220754.tif 000003
【図２】
0003220754.tif 000004
【図３】
0003220754.tif 000005
【図４】
0003220754.tif 000006
【図５】
0003220754.tif 000007
【手続補正書】
【提出日】平成31年1月13日(2019.1.13)
【手続補正１】
【補正対象書類名】実用新案登録請求の範囲
【補正対象項目名】全文
【補正方法】変更
【補正の内容】
【実用新案登録請求の範囲】
【請求項１】
切り口を波型にし、紙切り版の裏の両サイドにＬ字型の突起物を設けたことを特徴とするペーパーホルダー
(57)【要約】      （修正有）【課題】まっすぐに伸びず、多くの枝に分かれ、用材としては均一に供給できない茶の木を有効利用した加工物（食器、小物家具）を提供する。【解決手段】茶の木を食器又は小物家具に有効利用した加工物であり、茶の木自身に食物色素を吸い上げさせて着色することでカラーバリエーションを広めるとともに体にも優しくなる。また、茶の木の形状に合わせて木取りをすることで強度やナチュラル感を出し、茶の実油を塗ることで人体に優しい表面保護ができる。【選択図】図１
0003220721.tif 000002
【実用新案登録請求の範囲】
【請求項１】
茶の木を食器又は小物家具に使用した加工物。
【請求項２】
食用色素を吸い上げさせた茶の木を使用した請求項１に記載の加工物。
【請求項３】
茶の木の形状に合わせて木取りすることで強度を確保した請求項１又は２に記載の加工物。
【請求項４】
表面に茶の実油を塗った請求項１〜３のいずれか１項に記載の加工物。
【請求項５】
茶の葉を採らない茶の木を使用した請求項１〜４のいずれか１項に記載の加工物。
【考案の詳細な説明】
【技術分野】
【０００１】
本考案は、茶の木を食器又は小物家具に使用した加工物に関するものである。
【背景技術】
【０００２】
お茶の木は茶葉を収穫するために育てられるため、従来は大きくなって茶の実がなってしまうと、良い茶葉が取れないため、廃棄又は放棄されていた。
【考案の概要】
【考案が解決しようとする課題】
【０００３】
しかも、茶の木はまっすぐに伸びず、多くの枝に分かれるため、用材としては均一に供給できないという欠点があった。
【０００４】
また、まっすぐな部分も少なく、太さもバラバラで同じものが作れないなどの問題があった。大きくなって廃棄又は放棄される茶の木を活かすには、強度を確保するためにも、木の形状に合わせて一つずつ形の違うものを作る必要がある。
【０００５】
本考案は、係る事由に鑑みてなされたものであり、その目的は、廃棄又は放棄される対象となる茶の木を有効利用することにある。
【課題を解決するための手段】
【０００６】
本考案は、茶の木を食器又は小物家具に使用したことを主要な特徴とする。
【考案の効果】
【０００７】
本考案では、廃棄又は放棄される対象となる茶の木を有効利用できるようになる。
【図面の簡単な説明】
【０００８】
【図１】本考案の実施形態に係る食器に使用した加工物の例示であって、（ａ）はスプーン、（ｂ）は楊枝、（ｃ）はデザートナイフと箸置き、（ｄ）は箸と他の例の箸置き、（ｄ’）は（ｄ）の他の例の箸置きの拡大図、（ｄ’’）は（ｄ）の他の例の箸置きの右側面図の拡大図、（ｅ）はナイフである。
【図２】同上の小物家具に使用した加工物の例示であって、（ａ）はスタンド、（ｂ）は帽子掛け（帽子掛けカギを含む）である。
【図３】同上の加工物のために茶の木を染める方法の説明図である。
【考案を実施するための形態】
【０００９】
茶の木は、図１に示すように食器に使用することができ、又は、図２に示すように小物家具に使用することができる。なお、食器は、食卓で使うものを意味し、カトラリー（スプーン、フォーク、ナイフなど）、楊枝、箸、箸置きなどを含むものとする。また、小物家具は、スタンド（装飾品や鍵などを掛けて使用するもの）、帽子掛け、帽子掛けカギなどを含むものとする。これら、食器及び小物家具は、茶の木の形状に合わせて木取りをすることで木の形状に合わせて一つずつ形の違うものを作ることができ、また、強度を確保しナチュラル感を出すこともできる。
【００１０】
また、茶の木は、図３に示すように、茶の木自身が食用色素を吸い上げることで、着色することが実現できる。茶の木の導管を通して茶の木の内部から着色することができる。茶の木自身に食物色素を吸い上げさせて着色することで、カラーバリエーションを広めるとともに体にも優しい。また、ウレタン塗装などの化学塗料による塗装に比べ、色落ちすることなく着色出来る。
【００１１】
また、茶の実油を塗ることで人体に優しい表面保護をすることができる。茶の実油には、オレイン酸が多く美容と健康効果に良い。また、茶の実油を塗ることによって、自然な風合いの表面保護が出来る。
【００１２】
本加工物では、茶の葉を採らない茶の木、つまり廃棄又は放棄される対象となる茶の木を有効利用できるようになる。
【図１】
0003220721.tif 000003
【図２】
0003220721.tif 000004
【図３】
0003220721.tif 000005
(57)【要約】      （修正有）【課題】箸を一膳ずつ、他の人の手に触れることなく取り出すことができる箸箱を提供する。【解決手段】箸を、一膳ずつ縦に積み上げることができる四角形の箸箱２であって、箱の両端の下部に、箸の高さの隙間が空けてあり、一方から押し出し棒４で押すことにより、反対側から箸が出て、押し出し棒を元に戻すと積み上げてある箸が、一膳ずつ下に落ちてくる。【選択図】図１
0003220771.tif 000002
【実用新案登録請求の範囲】
【請求項１】
箸が、一膳ずつ縦に積み上げることができる四角形の箱で、箱の両端の下部に、箸の高さの隙間が空けてあり、一方から押し出し棒で押すことにより、反対側から箸が出て、押し出し棒を元に戻すと積み上げてある箸が、一膳ずつ下に落ちてくることを特徴とするはし箱。
【考案の詳細な説明】
【技術分野】
【０００１】    本考案は、はし箱から一膳ずつ箸を出すはし箱である。
【背景技術】
【０００２】    今までのはし箱は筒のような容器に箸がさしてあるか、はし箱の中にまとめて箸が入れてあり、一膳ずつ取り出すときに、他の箸に触ってしまう事がああった。
【考案の概要】
【考案が解決しようとする課題】
【０００３】    このひょっこりはし箱で他の箸に触れずに一膳ずつ取り出す事ができる。
【課題を解決するための手段】
【０００４】    本考案は、箸を一膳ずつ縦に積み上げ、箱の下の両端の下部に、箸の高さの高さの隙間があけてあり、一方から押し出す事で、箸が押し出されるようになっている。
【考案の効果】
【０００５】      本考案により、一膳ずつ箸が取り出せて、精神的にも、満足していただける。
【図面の簡単な説明】
【０００６】
【図１】横から見た図面
【図２】正面から見た図面
【図３】後ろを斜め上から見た図面
【考案を実施するための形態】
【０００７】      箸を縦に積み上げてある。ひょっこりはし箱の両サイドの下部に箸の高さの隙間が開けてあり、その切れ目に押し出し棒を差し込む事で、反対側から箸がひょっこり出てくる
【実施例】
【０００８】      以下添付図面に従って、実施例を説明する。
本体は、耐久性と箸の長さに合わせて作れる加工性に優れた木材による、一膳ずつ他の箸に触れないように取り出せるはし箱であり▲１▼台の上に▲２▼箸が縦に積み上げてある、ひょっこりはし箱をのせ▲３▼箱の両サイドの下部の部分の隙間に▲４▼押し出し棒をさし込む事で反対から▲５▼箸が出る。
【符号の説明】
【０００９】    ▲１▼台▲２▼ひょっこりはし箱▲３▼箸の高さの隙間▲４▼押し出し棒▲５▼箸
【図１】
0003220771.tif 000003
【図２】
0003220771.tif 000004
【図３】
0003220771.tif 000005
(57)【要約】      （修正有）【課題】ローラー杖の前輪軸を揺動させたり、固定させたりする揺動機構のレバーの操作を、立ったままで出来るようにするローラー杖を提供する。【解決手段】杖本体１０と支え棒１１と渡し具９で三角形を成し、前側の杖本体１０の下端の両側に車輪１３を付けた杖で、前輪軸３を揺動させたり固定したりする揺動機構を備えた杖において、揺動機構の揺動レバー２の端に紐１（テグス）を付け、その紐１を略グリップ１２位置ぐらいの高さで、紐１を引き上げて、上部にあるフック８に、紐１に付けた球６を引っ掛けて、揺動レバー２を上がった状態に維持し（軸揺動状態）、球６をフック８から外すと、揺動レバー２が下がり前輪軸３が固定状態になるようにして、揺動と固定を繰り返せるようにした。【選択図】図１
0003220773.tif 000002
【実用新案登録請求の範囲】
【請求項１】
杖本体と支え棒と渡し具で三角形を成し、前側の杖本体の下端の両側に車輪を付けた杖で、その前輪軸を揺動させたり固定したりする揺動機構を備えた杖において、揺動機構の揺動レバーの端に紐を付け、その紐を略グリップ位置ぐらいの高さで、紐を引き上がたり、下げたりして、揺動と固定を繰り返せるようにしたローラー杖。
【請求項２】
杖本体と支え棒と渡し具で三角形を成し、三角の広がりを止める渡し具の中央に、ヒンジを付けて縦に折り畳めるようにした杖において、ヒンジの近傍に紐を付け、略グリップ位置ぐらいの高さで、紐を引き上げたり下げたりして、広げたり、折り畳んだりを繰り返せるようにしたローラー杖。
【考案の詳細な説明】
【技術分野】
【０００１】  本考案は杖の下端に車輪の付いたローラー杖に関するものである。
【背景技術】
【０００２】  従来三角形を成す前側に二つの車輪の付いた杖の前輪軸を揺動させたり固定したりする揺動機構のレバーの操作は腰を曲げるか、杖を持ち上げるか、しなけれならなかった。【０００３】  三角形を成し、三角の広がりを止める渡し具の中央に、ヒンジを付けて縦に折り畳めるようにした杖の、折り畳む操作は下部にあったので、腰を曲げるか、杖を持ち上げるか、しなけれならなかった。
【先行技術文献】
【特許文献】
【０００４】
【特許文献１】特許第３９５６１７５号
【考案の概要】
【考案が解決しようとする課題】
【０００５】    杖本体と支え棒と渡し具で三角形を成し、前側とした杖本体の下端の両側に車輪を付けた杖で、その前輪軸を揺動させたり固定したりする揺動機構を備えたローラー杖において、揺動機構の揺動レバーを操作するには、低い所にあるため、腰を曲げるか、ローラー杖を持ち上げるか、しなければならなかった。それを立ったままで出来るようにすること。【０００６】  杖本体と支え棒と渡し具で三角形を成し、三角の広がりを止める渡し具の中央に、ヒンジを付けて縦に折り畳めるようにしたローラー杖において、渡し具が低い所にあるため、折り畳むには、  腰を曲げるか、ローラー杖を持ち上げるか、しなければならなかった。それを立ったままで出来るようにすること。
【課題を解決するための手段】
【０００７】  揺動機構の揺動レバーの端に紐を付け、紐を高い位置に持ってくると、立ったままで、紐を上に引き上げることが出来る。紐に付けた球を上部のフックに引っ掛けると、揺動レバーは上げられたままを維持し、前輪軸は揺動状態を維持する。球をフックから外すと揺動レバーは下がり、前輪軸は固定状態になる。【０００８】  中央のヒンジ部近傍に紐を付け、紐を高い位置に持ってくると、立ったままで、紐を引き上げることが出来る。ローラー杖は折り畳まれる。紐を緩めると、三角形は広がり、使用できる状態になる。
【考案の効果】
【０００９】  前輪軸が揺動すると、杖にもたれ掛って歩く時、スムーズに、楽に歩ける。勿論固定でも歩けるが、その楽さは歴然とわかる。この揺動と固定の繰り返し操作を、立ったままで出来るようにしたことは、膝や腰痛等に悩む人には特に助かる。更に杖から手を離す時はフックから球を外して、前輪軸を固定状態にしておくと杖は倒れにくい。いろいろ工夫しながら歩いてみようと、考えると、外出が楽しくなり、健康作りに役立つ。【０００１０】  バスや電車に乗る時や、座ってすばやく上方の紐を引き上げて折り畳める事は、人に迷惑を掛けることなく、気持ちが楽になる。外出が楽しくなる。
【図面の簡単な説明】
【０００１１】
【図１】手前の車輪を外して、揺動状態を示したローラー杖の広げた側面図。
【図２】手前の車輪を外して、固定状態を示したローラー杖の折り畳んだ側面図。
【図３】フックから球を外したローラー杖の正面図。
【図４】揺動機構の側面図。
【考案を実施するための形態】
【０００１２】  図１，２，３，４で説明する。１０杖本体と１１支え棒と９渡し具で三角形を成し、前側の１０杖本体の下端の両側に１３車輪を付けた杖で、３前輪軸を揺動させたり固定したりする４揺動機構を備えた杖において、４揺動機構の２揺動レバーの端に１紐（テグス）を付け、その１紐を略１２グリップ位置ぐらいの高さで、１紐を引き上げて、上部にある８フックに、紐に付けた６球を引っ掛けて、２揺動レバーを上がった状態に維持し（軸揺動状態）、６球を８フックから外すと、２揺動レバー―が下がり３前輪軸が固定状態になるようにして、、揺動と固定を繰り返せるようにした。
【０００１３】  図１，２，３，４で説明する。１０杖本体と１１支え棒と９渡し具で三角形を成し、三角の広がりを止める９渡し具の中央に、１４ヒンジを付けて縦に折り畳めるようにした杖において、１４ヒンジの近傍に１紐（テグス）を付け、略１２グリップ位置ぐらいの高さで、１紐を引き上げたり下げたりして、三角形を広げたり折り畳んだりを繰り返せるようにした。５紐（テグス）の上部は７網紐を繋いで紐を握り易いようにした。
【符号の説明】１紐（テグス）
２揺動レバー
３前輪軸
４揺動機構
５紐（テグス）
６球
７網紐
８フック
９渡し具
１０杖本体
１１支え棒
１２グリップ
１３車輪
１４ヒンジ
【図１】
0003220773.tif 000003
【図２】
0003220773.tif 000004
【図３】
0003220773.tif 000005
【図４】
0003220773.tif 000006